(57)【特許請求の範囲】
【請求項１】
原稿を読み取る読取手段と、
原稿の束ごとにファイルを生成して送信する第１の送信設定、および、指定の分割位置情報に従って原稿の束を複数に分割してファイルを生成して送信する第２の送信設定を行うことが可能な設定手段と、
前記設定手段により前記第１の送信設定が行われた場合は、前記読取手段により読み取られた原稿の束と束の区切りを分割位置情報として記憶するとともに、前記読取手段により読み取った複数束の原稿の画像を、該記憶した分割位置情報に従って複数のファイルにし、当該複数のファイルを含むメールを送信し、前記設定手段により前記第２の送信設定が行われた場合は、前記読取手段により読み取った複数束の原稿の画像を前記指定の分割位置情報に従って複数のファイルにして当該複数のファイルを含むメールを送信するように制御する送信制御手段と
を有することを特徴とする画像読取装置。
【請求項２】
前記読取手段は、前記読取手段に給紙するオートドキュメントフィーダにセットされた１つの束の原稿を読み取り、当該１つの束を読み取り終えた後、ユーザから次の束の原稿を読み取ることが指示された場合に、前記オートドキュメントフィーダにセットされた次の束の原稿を読み取ることを特徴とする請求項１に記載の画像読取装置。
【請求項３】
前記第１の送信設定が行われた場合において、前記記憶した分割位置情報を含む送信履歴を記憶する履歴記憶手段を更に有することを特徴とする請求項１又は２に記載の画像読取装置。
【請求項４】
前記指定の分割位置情報は、予めユーザによって入力された束と束の区切りを示す情報であることを特徴とする請求項１ないし３のいずれか１項に記載の画像読取装置。
【請求項５】
前記送信制御手段により送信されるメールに含まれるファイルは、ＴＩＦＦ又はＰＤＦ形式のファイルであることを特徴とする請求項１ないし４のいずれか１項に記載の画像読取装置。
【請求項６】
原稿を読み取る読取手段と、
原稿の束ごとにファイルを生成して送信する第１の送信設定、及び原稿の一つの束を複数に分割してファイルを生成して送信する第２の送信設定を行うことが可能な設定手段と、
前記設定手段により前記第１の送信設定が行われた場合は、前記読取手段により読み取られた一つの束の原稿の画像を一つのファイルにして、当該一つのファイルを含むメールを送信し、前記設定手段により前記第２の送信設定が行われた場合は、前記読取手段により読み取られた一つの束の原稿の画像を複数のファイルにして、当該複数のファイルを含むメールを送信するように制御する送信制御手段と
を有することを特徴とする画像読取装置。
【請求項７】
原稿を読み取る読取手段を備えた画像読取装置の制御方法であって、
原稿の束ごとに分割して送信する第１の送信設定を行う第１の設定ステップと、指定の分割位置情報に従って原稿の束を複数に分割してファイルを生成して送信する第２の送信設定を行う第２の設定ステップと、
前記第１の設定ステップで前記第１の送信設定が行われた場合は、前記読取手段により読み取られた原稿の束と束の区切りを分割位置情報として記憶するとともに、前記読取手段により読み取った複数束の原稿の画像を、該記憶した分割位置情報に従って複数のファイルにし、当該複数のファイルを含むメールを送信し、前記第２の設定ステップで前記第２の送信設定が行われた場合は、前記読取手段により読み取った複数束の原稿の画像を前記指定の分割位置情報に従って複数のファイルにして当該複数のファイルを含むメールを送信する送信制御ステップと、
を有することを特徴とする画像読取装置の制御方法。
【請求項８】
原稿を読み取る読取手段を備えた画像読取装置の制御方法であって、
原稿の束ごとにファイルを生成して送信する第１の送信設定を行う第１の設定ステップと、
原稿の一つの束を複数に分割してファイルを生成して送信する第２の送信設定を行う第２の設定ステップと、
前記第１の設定ステップで前記第１の送信設定が行われた場合は、前記読取手段により読み取られた一つの束の原稿の画像を一つのファイルにして、当該一つのファイルを含むメールを送信し、前記第２の設定ステップで前記第２の送信設定が行われた場合は、前記読取手段により読み取られた一つの束の原稿の画像を複数のファイルにして、当該複数のファイルを含むメールを送信するように制御する送信制御ステップと
を有することを特徴とする画像読取装置の制御方法。
【請求項９】
請求項７又は８に記載の制御方法を画像読取装置に実行させるための、コンピュータが読み取り可能なプログラム。
【発明の詳細な説明】
【技術分野】
【０００１】
本発明は、原稿を読み取って得られた画像データをファイル化する画像読取装置、画像読取装置の制御方法、及びプログラムに関する。
【背景技術】
【０００２】
従来の画像読取装置においては、例えばスキャナで原稿を読み取って、読み取って得た画像データをファイル化する画像読取装置が知られている。このような画像読取装置で画像データをファイル化する場合、画像変換機能を用いて上記画像データを指定のファイルフォーマットへ変換し、変換後の画像データを一または複数のファイル化することができる。例えば、スキャナで複数枚の原稿を読み取って得られた複数ページの画像データをファイル化する場合は、まず、各ページの画像は、それぞれ、ユーザが指定した適切なファイルフォーマットの画像データに変換される。このとき、指定されたファイルフォーマットが１ファイルに複数のページを持つことが可能なフォーマットであれば、読み取られた原稿の全ページが１ファイルにまとめられる。ここで、１ファイルに複数ページを持つことが可能なファイルフォーマットに、例えばＴＩＦＦ（Ｔａｇ  Ｉｍａｇｅ  Ｆｏｒｍａｔ  Ｆｉｌｅ）、ＰＤＦ（Ｐｏｒｔａｂｌｅ  Ｄｏｃｕｍｅｎｔ  Ｆｏｒｍａｔ）などがある。
【０００３】
ところで、複数枚の原稿を任意のページで区切り、複数のファイルに分割してデータをファイル化することをユーザが望む場合がある。このように画像データを複数のファイルに分割する場合において、その分割の仕方として次の特許文献１の方法が知られている。
【０００４】
特許文献１は、スキャナで原稿の束を読み取る度にファイルを分割する方法である。この方法によると、ユーザは予め、送信対象の原稿を、分割したい複数の束に分けておく。そして、例えばＡＤＦ（Ａｕｔｏ  Ｄｏｃｕｍｅｎｔ  Ｆｅｅｄｅｒ）などに、複数の束のうちの１つをセットする。データ送信装置は、セットされた原稿の束を読み取り、読み取った度にユーザは別の原稿の束を再度セットして読み取り指示する。全ての束の読み取りが完了すると、セットされた束毎にファイルを分割し、送信する。特許文献１では、読取部にセットされた原稿の束に連動してファイルを分割する。そのため、ユーザがファイルとして分割したい束に予め原稿を分けておけば、ファイルの分割単位となる正確な数字（ページ数）を調べる必要はない。しかし、原稿の読み取りを開始した後、分割単位となる一連の原稿の読み取りが終了する度に、再度原稿を読取部にセットし直して次の原稿の読み取りを行うか、あるいは読み取りを終了するかをユーザが逐一指示する必要がある。そのため特許文献１では、ユーザは、最後の原稿束をセットするまで装置の前に拘束されることになる。
【先行技術文献】
【特許文献】
【０００５】
【特許文献１】特開２００５−１６７９３８号公報
【発明の概要】
【発明が解決しようとする課題】
【０００６】
特許文献１の方法を用いて画像読取処理をしたときに各種読取設定を履歴として装置内で記憶し、２回目以降に同様の処理を行う際にはその履歴を呼び出して同様の画像読取処理を行いたい場合がある。このような場合に、履歴から呼び出して処理を行う場合であっても１回目に行った処理と同様に最後の原稿束をセットするまで装置の前に拘束されることになるのは、ユーザにとって大変煩わしいものである。
【０００７】
本発明は、このような課題に鑑みて、複数束の原稿を読み取って生成したファイルを送信する際に、設定に応じた異なる方法で好適に複数のファイルを送信するための手段を提供することを目的とする。
【課題を解決するための手段】
【０００８】
上記の目的を達成するための本発明の画像読取装置は、原稿を読み取る読取手段と、原稿の束ごとにファイルを生成して送信する第１の送信設定、および、指定の分割位置情報に従って原稿の束を複数に分割してファイルを生成して送信する第２の送信設定を行うことが可能な設定手段と、前記設定手段により前記第１の送信設定が行われた場合は、前記読取手段により読み取られた原稿の束と束の区切りを分割位置情報として記憶するとともに、前記読取手段により読み取った複数束の原稿の画像を、該記憶した分割位置情報に従って複数のファイルにし、当該複数のファイルを含むメールを送信し、前記設定手段により前記第２の送信設定が行われた場合は、前記読取手段により読み取った複数束の原稿の画像を前記指定の分割位置情報に従って複数のファイルにして当該複数のファイルを含むメールを送信するように制御する送信制御手段とを有することを特徴とする。
また上記の目的を設定するための本発明の画像読取装置は、原稿を読み取る読取手段と、原稿の束ごとにファイルを生成して送信する第１の送信設定、及び原稿の一つの束を複数に分割してファイルを生成して送信する第２の送信設定を行うことが可能な設定手段と、前記設定手段により前記第１の送信設定が行われた場合は、前記読取手段により読み取られた一つの束の原稿の画像を一つのファイルにして、当該一つのファイルを含むメールを送信し、前記設定手段により前記第２の送信設定が行われた場合は、前記読取手段により読み取られた一つの束の原稿の画像を複数のファイルにして、当該複数のファイルを含むメールを送信するように制御する送信制御手段とを有することを特徴とする。
【発明の効果】
【０００９】
本発明によれば、複数束の原稿を読み取って複数のファイルを送信する際に、設定に応じた異なる方法で好適に複数のファイルを送信することが可能となる。
【図面の簡単な説明】
【００１０】
【図１】第１の実施形態におけるデジタル複合機のハードウェア構成を示すブロック図である。
【図２】図１の操作部に表示される操作画面の一例を示す図である。
【図３】図１の操作部に表示される分割設定画面の一例を示す図である。
【図４】図１のデジタル複合機におけるデータ送信処理の手順を示すフローチャートである。
【図５】読取連動モードで実行した場合に図１の操作部に表示される確認画面の一例を示す図である。
【図６】図４の設定受付処理の詳細を示すフローチャートである。
【図７】図２の操作画面で履歴呼出ボタンが押下された場合に表示される履歴呼び出し画面の一例である。
【図８】図７の履歴呼び出し画面で送信履歴を呼び出した後の操作画面の一例である。
【発明を実施するための形態】
【００１１】
以下、本発明の実施の形態について図面を参照して説明する。
【実施例１】
【００１２】
図１は、画像読取装置の一例であるデジタル複合機（複写機）１００のハードウェア構成を示すブロック図である。デジタル複合機１００は、コピー機能、プリンタ機能、データ送受信機能（ファクシミリ機能、電子メール機能、ファイル転送機能を含む）などの複数の機能を有する。デジタル複合機１００は、制御部１０２を備え、制御部１０２はインタフェースを介して、画像形成部１０１、フィニッシャ１０３、スキャナ部１０４、操作部１０５、受信インタフェース１０６、及び送信インタフェース１０７と接続されている。ここで、受信インタフェース１０６及び送信インタフェース１０７は、上述の複数のデータ送受信機能に対応するものであり、実際にはそれぞれの機能に対応するように、複数の受信インタフェース及び送信インタフェースから構成される。
【００１３】
制御部１０２は、ＣＰＵ１０８及びメモリ１０９を有し、ＣＰＵ１０８は、メモリ１０９に格納されているプログラムに従い上記各ブロックを制御するとともに、各種の処理を実行する。
【００１４】
メモリ１０９には、画像をファイル化してネットワーク上の装置に送信するように制御するプログラムが含まれる。
【００１５】
操作部１０５は、各種設定を行うための指示などを入力するための入力パネル（不図示）、および各種設定情報やメッセージなどを表示するための表示パネル（不図示）を備える。操作部１０５において入力された指示などは、制御部１０２のＣＰＵ１０８に入力される。
【００１６】
本実施形態において、データ送信機能により所望の画像データを送信する際には、まず、操作部１０５の操作画面で送信宛先、送信する画像データのファイル種別、および送信プロトコル等が設定される。そして、スキャナ部１０４に原稿の読み取りを指示することによりデータ送信機能が実行される。
【００１７】
スキャナ部１０４は、ＡＤＦ（Ａｕｔｏ  Ｄｏｃｕｍｅｎｔ  Ｆｅｅｄｅｒ）などの給紙機構により給紙された複数枚の原稿を読み取る読取機構と、原稿台に載置された一枚の原稿を読み取る機構を備える。ＡＤＦから給紙された原稿を読み取る場合は、複数枚の原稿の束を一度にセットして原稿を読み取らせることができる。原稿台ガラスに載置した原稿を読み取る場合には、一度に一枚の原稿を読み取ることになる。読み取った原稿から生成した画像データは、制御部１０２に入力され画像処理される。なお本実施形態では、ＡＤＦから給紙された複数枚の原稿を読み取って画像データを送信する場合を例にして説明する。
【００１８】
図２は、上述のデータ送信機能を利用してデータ送信処理を行う際に、図１の操作部１０５に表示される操作画面の一例である。図２の操作画面においては、送信宛先２０１、データ送信プロトコル２０２、読取設定２０３、ファイル種別２０４、分割設定２０５、及び履歴呼出２０６のボタンが表示され、それぞれのボタンに対応する設定が入力される。例えば、送信宛先２０１はファイルの送信宛先である（ここでは、AAA＠Ｃｏｍｐａｎｙ．ｃｏｍ，ＭｙＳｅｖｅｒ．Ｃｏｍｐａｎｙ．ｃｏｍが入力されている）。データ送信プロトコル２０２は、電子メール（Ｅ−ｍａｉｌ）、ファクシミリ送信（ＦＡＸ）、ファイル転送（Ｆｉｌｅ）が指定可能である。読取設定２０３のボタンでは、原稿読み取り時の解像度などが指定可能である。データ送信時のファイル種別２０４のボタンでは、ＰＤＦやＴＩＦＦなどのファイルフォーマットが指定可能である。分割設定２０５のボタンでは、ファイル分割時にどのようなモードでファイルを分割するかを指定可能である。履歴呼び出し２０６のボタンでは、過去に画像の送信を実行した際の送信履歴を呼びだすものである。このように、それぞれのボタンに対応する設定値がユーザにより入力される。そして、操作部１０５に備えられたスタートキー（不図示）を押下すると、２０１〜２０５のボタンで設定された設定値を含む送信依頼が操作部１０５から制御部１０２へ入力されることになる。なお分割設定２０５と履歴呼び出し２０６については、詳細は後述する。
【００１９】
図３は、図１の操作部１０５に表示されるファイル分割時の分割設定画面の一例である。図３の分割設定画面は、図２の分割設定２０５のボタンを押下すると表示される。３０１は、原稿を読み取り指示する前にファイルの分割位置をユーザが入力するモード（以降の説明では、「分割位置入力モード」という）を設定するボタンである。領域３０２は、原稿を分割する分割位置として原稿のページ数を入力する領域であり、分割位置入力モードが選択された場合に入力可能となる。例えばユーザが領域３０２に「１−２、３−４、５」と入力すると、スキャナ部１０４の給紙機構にセットされた原稿の１〜２ページ目の画像を含むファイルと、３〜４ページ目の画像を含むファイルと、５ページ目の画像を含むファイルとが生成される。そして、それぞれのファイルが指定された同一の送信宛先２０１へ一括して送信されることになる。３０３は、原稿の読み取りと連動して分割位置を指定するモード（以降の説明では、「読取連動モード」という）を設定するボタンである。３０３のボタンが選択された状態でスキャンの読み取りを開始すると、スキャナ部１０４の給紙機構にセットされた原稿の束を読み取って得た一または複数ページの画像データが１ファイルとなる。
【００２０】
なお本実施形態において、これ以降の説明では、分割位置入力モードまたは読取連動モードのいずれかを選択したことにより、上記いずれかのモードでデジタル複合機１００が動作する例について説明する。しかし、これ以外のモードがあってもよく、例えば、読み取った原稿の全てのページを１ファイルにまとめて送信したり、１ページにつき１ファイルにして送信したり、予めデジタル複合機で決められた規則に従ってファイルを分割したりしてもよい。
【００２１】
図４は、本実施形態におけるデジタル複合機１００のデータ送信処理の手順を示すフローチャートである。図４の各ステップは、制御部１０２のＣＰＵ１０８がメモリ１０９に記憶されているプログラムに従って実行される。
【００２２】
図４のフローチャートは、ユーザにより操作部１０５のスタートキー（不図示）が押下されたことで開始する。
【００２３】
Ｓ４０１にて、ＣＰＵ１０８は、操作部１０５からユーザにより入力されたデータ送信指示を受け付ける。受け付けた送信指示には、送信対象となる画像データのファイル名、送信宛先２０１、データ送信プロトコル２０２、読取設定２０３、ファイル種別２０４、及び分割設定２０５が含まれる。
【００２４】
Ｓ４０２にて、ＣＰＵ１０８は、Ｓ４０１で受け付けた送信指示に含まれる分割設定２０５が分割位置入力モードであるか読取連動モードであるかを判定する。読取連動モードであると判定された場合（Ｓ４０２でＹＥＳ）、Ｓ４０３へ進む。分割位置入力モードであると判定された場合（Ｓ４０２でＮＯ）、Ｓ４０７へ進む。
【００２５】
Ｓ４０３にて、スキャナ部１０４は、ＣＰＵ１０８の指示に従い、セットされた原稿を読み取って画像データを生成する。セットされた原稿が複数枚ある場合には、読み取った原稿の１枚を１ページとして計測したページ数をメモリ１０９に記憶しておく。
【００２６】
Ｓ４０４にて、スキャナ部１０４は、Ｓ４０３で計測したページ数と、そのページ数を読み取ったときの原稿束の読み取り回数とを対応づけてメモリ１０９に記憶する。例えば、９ページ（枚）からなる原稿を、１〜３ページ、４〜６ページ、及び７〜９ページの３つの原稿束に区切り、この３つの原稿束を３回に分けてＡＤＦにセットし読み取り指示したとする。この場合、Ｓ４０３で計測したページ数が、１、２、３のときの原稿束の読み取り回数は１となる。計測したページ数が、４、５、６のときの原稿束の読み取り回数は２となる。計測したページ数が、７、８、９のときの原稿束の読み取り回数は３となる。このように計測したページ数と原稿束の読み取り回数を対応づけて記憶し、後で画像データを分割してファイル化する際にどの位置でファイルを分割するかを決定する際に利用する。
【００２７】
Ｓ４０５にて、操作部１０５は、図５に示す確認画面を表示しユーザからの指示を待つ。
【００２８】
図５は、Ｓ４０５で操作部１０５が表示する画面の一例である。確認画面５００で、ユーザが「はい」５０１のボタンを押下すると、原稿の読み取りの終了を指示することができる。一方「いいえ」５０２のボタンを押下すると、原稿の読み取りの続行を指示することができる。原稿の読み取りの続行を指示する場合は、ユーザは次に読み取らせる原稿をスキャナ部１０４にセットした後に図５の「いいえ」ボタンを押下する。
【００２９】
Ｓ４０６にて、ＣＰＵ１０８は、Ｓ４０５で受け付けた指示に基づき、原稿の読み取りを終了するか続行するかを判断する。原稿の読み取りを終了すると判断した場合（Ｓ４０６でＹＥＳ）、Ｓ４０９へ進む。原稿の読み取りを続行すると判断した場合、Ｓ４０３に戻り、再度、スキャナ部１０４にセットされた原稿を読み取る処理を行う。
【００３０】
なお読取連動モードで動作する場合は、セットされた原稿の束ごとに、ファイルを分割するので、ファイルの分割単位となる正確なファイルのページ数をユーザが事前に調べるような手間を軽減することができる。
【００３１】
Ｓ４０７は、Ｓ４０２で分割位置入力モードと判定された場合の処理である。Ｓ４０７にて、ＣＰＵ１０８は、Ｓ４０１で受け付けた送信指示に含まれる分割設定２０５を取得し、ファイルを分割するためのページ数の情報を分割位置としてメモリ１０９に記憶しておく。
【００３２】
Ｓ４０８にて、スキャナ部１０４は、ＣＰＵ１０８の指示に従い、セットされた原稿を読み取って画像データを生成する。
【００３３】
なお分割位置入力モードで動作する場合は、送信指示をする前にファイルの分割位置を指定しているので、読取連動モードで動作する場合と異なり、再度ユーザに次の原稿をセットさせる必要がない。この結果、１度送信指示をしたら、その後はデジタル複合機１００が自動で原稿のスキャンからファイルの送信までを実行するので、ファイルの分割に関するユーザの手間を軽減することができる。
【００３４】
Ｓ４０９にて、ＣＰＵ１０８は、送信指示に含まれるファイル種別２０４の画像データに変換して、画像データをＳ４０４またはＳ４０７で記憶した分割位置に従って分割する。そして分割後の画像データを１ファイルとしてメモリ１０９に記憶する。
【００３５】
例えば、９ページ（枚）からなる原稿を、１〜３ページ、４〜６ページ、及び７〜９ページの３つの原稿束に区切り、この３つの原稿束を３回に分けてＡＤＦにセットし読み取り指示したとする。この場合は、ページ数が１、２、３の画像データを１つ目のファイル、ページ数が４、５、６の画像データを２つ目のファイル、ページ数が７、８、９の画像データは３つ目のファイルとなるように、ファイルを分割する。
【００３６】
なお、本実施形態では全ての原稿の読み取りが完了してからＳ４０９でファイルを分割する処理を行っている。しかし、一回にセットされた原稿束を読み取った直後に画像データをファイル化することも可能である（すなわち、Ｓ４０３〜Ｓ４０６の間）。このようにすることで、画像データを複数のファイルに分割する処理を省くことができる。そして、メモリに全ての画像データを蓄積してからファイル化する必要がなく、メモリを効率的に管理することができる。
【００３７】
更に、画像データの読み取り処理とファイル化処理とを並行しｙｒ行うようにすることもできる。例えば、２つ目の原稿束から画像データを生成する処理（Ｓ４０３）をするのと並行して、１つ目の原稿束から生成した画像データのファイル化処理を行うようにする。このようにすることで、原稿の読み取りからファイル化までの一連の処理をより高速に行うことができる。
【００３８】
Ｓ４１０にて、送信インタフェース１０７は、ＣＰＵ１０８の指示に従い、Ｓ４０９で複数に分割した分割ファイルをメモリ１０９から読み出して送信指示に含まれる宛先へ分割ファイルを送信する。
【００３９】
Ｓ４１１にて、ＣＰＵ１０８は、Ｓ４０１で受け付けた送信指示に含まれる２０１〜２０５の設定を送信履歴としてメモリ１０９に記憶する。更に、ファイルの分割位置としてＳ４０４またはＳ４０７で記憶したページ数の情報も、２０１〜２０５の設定と関連づけて送信履歴としてメモリ１０９に記憶する。
【００４０】
図６は、図４のＳ４１１で記憶した送信履歴を呼び出してデータ送信処理の設定を行うフローチャートである。図６の各ステップは、制御部１０２のＣＰＵ１０８がメモリ１０９に記憶されているプログラムに従って実行される。
【００４１】
Ｓ６０１にて、ＣＰＵ１０８は、図２の操作画面でユーザから履歴呼出２０６のボタンが押下されたことにより、送信履歴を呼び出すか否かを判断する。履歴呼出２０６のボタンがユーザにより押下されたことを検知すると、操作部１０５は、ＣＰＵ１０８の指示に従い図７の履歴呼び出し画面を表示する。
【００４２】
図７の履歴呼び出し画面７００には、送信宛先の履歴７０１、データ送信プロトコルの履歴７０２、読取設定の履歴７０３、ファイル種別の履歴７０４、分割設定の履歴７０５、分割位置情報の履歴７０６が表示されている。これらの情報は、Ｓ４１１でメモリ１０９に記憶した送信履歴である。特に、本実施形態においては、分割位置情報の履歴７０６が読取連動モードを示す場合、分割位置情報の履歴７０６は、ユーザにより入力されたものではなく、ＣＰＵ１０８が自動でファイル分割位置を計測したものである。
【００４３】
図７の履歴呼び出し画面７００において、特定の送信履歴が表示された状態でＯＫボタンが押下されると、Ｓ６０２にて、ＣＰＵ１０８は、メモリ１０９に記憶された送信履歴を操作部１０５の設定画面に反映し、本フローチャートを終了する。
【００４４】
図８の分割設定画面は、Ｓ６０２で送信履歴を反映した後の画面である。本実施形態では、送信履歴として読取連動モードで分割送信した履歴が読み出されている。図８の分割設定画面では、読取連動モードが分割設定として選択されている。更に、領域３０２には送信履歴として記憶した分割位置が自動的に初期値として操作画面に表示されている。図８の画面が表示されている状態でスタートキーを押下して送信指示をすると、読取連動モードで動作することになる。一方、図８の分割設定画面が表示されている状態でユーザが分割位置入力モードを選択するボタン３０１を押下すると、分割設定が読取連動モードから分割位置入力モードに変更される。そして、領域３０２に表示されている分割位置（「１−３、４−６、７−９」）で画像を分割する分割位置入力モードで動作することになる。
【００４５】
本実施形態によれば、ファイルを分割して送信する場合に、その分割位置を送信履歴の一部として記憶し、再度同じ送信設定でデータを送信することを可能とする。特に、読取連動モードでファイルを分割して送信した場合は、スキャナ部１０４に一度にセットした原稿の束ごとにファイルを分割する。このとき、一度にセットされた原稿の枚数を計測して記憶する。そして、読取連動モードで実行したデータ送信処理の送信履歴を呼び出すと、ファイルの分割位置を、操作画面における分割位置指定モードの領域３０２に反映して表示することになる。この送信履歴として記憶した送信宛先、送信種別、読取設定、ファイル種別、及び分割設定をそのまま使用したい場合は、何も変更せずに送信指示することが可能である。一方、送信履歴として記憶した送信宛先、送信種別、読取設定、ファイル種別はそのまま使用し、分割設定だけは読取連動モードから分割位置入力モードに変更することも可能である。この時は、分割位置入力モードで入力すべき分割位置が、初期値として入力されているので、例えば同じ原稿を再度ファイル化したい場合は、この初期値を利用することで、再度分割位置を入力する手間を省くことができる。ユーザは、２回目以降に同じ原稿（または同じ形式の原稿）をスキャンしてデータ送信する場合は、ユーザの手間を軽減することができる。すなわち、送信履歴を呼び出した後、読取連動モードから分割位置指定モードへ変更するだけで、原稿の分割位置を調べる手間も何度もＡＤＦに原稿をセットする手間も省くことができる。
【００４６】
なお、原稿の分割位置を含む送信履歴を呼び出して新たにデータ送信処理を行う際には、セットする原稿は、前回セットした原稿と全く同じ原稿をセットしてもよいし、前回セットした原稿と異なる原稿をセットしてもよい。
【００４７】
新たにセットする原稿が前回セットした原稿と異なる原稿であってもよい。例えば、新たにセットする原稿が、前回セットした原稿の一部分だけが差し替えられた原稿であったり、前回セットした原稿の総枚数が同じである原稿であったり、前回セットした原稿と形式が同じである原稿であったりしてもよい。
【００４８】
なお本実施形態では、画像読取装置の一例として、スキャナ部１０４で読み取って得た画像データを指定の送信宛先へ送信する例について説明した。しかし、画像読取装置の他の例として、指定の送信宛先へ送信する代わりに、指定された格納場所で特定されるメモリ１０９の記憶領域、あるいは、外部記憶媒体等の記憶領域にファイルを格納するデータ格納処理についても本実施形態を適用することができる。
【００４９】
なお本実施形態の読取連動モードにおいては、スキャナ部１０４のＡＤＦに原稿をセットして、そのＡＤＦにセットされた原稿の束ごとに画像データをファイル化する例について説明した。しかし、ＡＤＦに原稿をセットする代わりに、原稿台ガラスに載置された原稿を読み取るごとに画像データをファイル化する読取連動モードであっても本実施形態を適用することができる。
【００５０】
（他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５１】
１００  デジタル複合機
１０４  スキャナ部
【図１】
0005737913.tif 000002
【図２】
0005737913.tif 000003
【図３】
0005737913.tif 000004
【図４】
0005737913.tif 000005
【図５】
0005737913.tif 000006
【図６】
0005737913.tif 000007
【図７】
0005737913.tif 000008
【図８】
0005737913.tif 000009